【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
流体（１０４）を注出するためのカートリッジ（１００、２０２、２０２’、２０２”、４００、６００、８００）であって、前記カートリッジは、
−  前記流体を受け入れるように、および、ベンチレーションガス（１０６）を受け入れるように動作可能な貯蔵部チャンバー（１０２）であって、前記貯蔵部チャンバーは、前記ベンチレーションガスを受け入れるための入口部（１１４）、および、前記流体を注出するための出口部（１１６）を含み、前記貯蔵部チャンバーの少なくとも一部分（１０６）は、動作位置にあるときに、前記ベンチレーションガスで充填されるように動作可能であり、前記入口部は、前記ベンチレーションガスで充填されるように動作可能な前記一部分の中に位置付けされており、前記流体は、試薬を含み、前記貯蔵部チャンバーが、１０パーセントから９０パーセントの間、好ましくは、２０パーセントから８０パーセントの間で、前記流体で満たされているときに、前記ベンチレーションガスで充填されるように動作可能な前記貯蔵部チャンバーの前記一部分の中に、前記入口部が一定ガス圧力を維持するように動作可能である、貯蔵部チャンバー（１０２）と、
−  前記入口部を通るガス拡散を制限するためのバッフル手段（１０８、４０６、６０２、８０２）であって、前記貯蔵部チャンバーは、前記バッフル手段を介して前記ベンチレーションガスを受け入れるように動作可能であり、前記入口部は、前記ベンチレーションガスで充填されるように動作可能な前記貯蔵部チャンバーの前記一部分の中に、一定ガス圧力を維持するように動作可能である、バッフル手段（１０８、４０６、６０２、８０２）と
を含む、カートリッジ（１００、２０２、２０２’、２０２”、４００、６００、８００）。
【請求項２】
ディスペンサーが、前記バッフル手段と独立した速度で流体を注出するように動作可能である、請求項１に記載のカートリッジ。
【請求項３】
前記カートリッジが、前記入口部をシールするためのキャップ（４０２）をさらに含む、請求項１または２に記載のカートリッジ。
【請求項４】
前記キャップが、前記入口部を開けるために、開位置へ移動させられるように動作可能である、請求項３に記載のカートリッジ。
【請求項５】
前記キャップが、前記入口部を再シールするように動作可能である、請求項４に記載のカートリッジ。
【請求項６】
前記キャップが開けられているときに、前記カートリッジが、前記バッフル手段の少なくとも一部分を形成するように動作可能である、請求項３、４、または５に記載のカートリッジ。
【請求項７】
前記カートリッジが、前記キャップを取り付けるためにねじ山を含む、請求項３から６までのいずれか一項に記載のカートリッジ。
【請求項８】
前記バッフル手段が、前記ねじ山の中に形成されている拡散経路を含む、請求項７に記載のカートリッジ。
【請求項９】
前記拡散経路が、前記ねじ山の中にチャネル（４０６）を含み、前記カートリッジが、前記キャップの開口を所定の量に限定するためのキャップ拘束部をさらに含む、請求項８に記載のカートリッジ。
【請求項１０】
前記バッフル手段が、前記貯蔵部チャンバーの中に少なくとも部分的に位置付けされているチューブ（８０２）を含み、前記チューブが、開口部および前記入口部を含み、前記キャップが、前記貯蔵部チャンバーの中に前記入口部をシールするように動作可能である、請求項３から９までのいずれか一項に記載のカートリッジ。
【請求項１１】
前記キャップが、カートリッジに取り付けられている、請求項３から１０までのいずれか一項に記載のカートリッジ。
【請求項１２】
前記キャップが、前記カートリッジから取り外されように動作可能である、請求項３から１１までのいずれか一項に記載のカートリッジ。
【請求項１３】
前記キャップが、開位置と閉位置との間で移動可能であり、前記開位置にあるときに、前記キャップが前記バッフル手段を開ける、請求項３から１２までのいずれか一項に記載のカートリッジ。
【請求項１４】
前記バッフル手段が、前記貯蔵部チャンバーの中に少なくとも部分的に位置付けされているチューブ（８０２）を含む、請求項１または２までのいずれか一項に記載のカートリッジ。
【請求項１５】
前記バッフル手段が、前記カートリッジの外部表面の上に少なくとも部分的に形成されている、請求項１から１４までのいずれか一項に記載のカートリッジ。
【請求項１６】
前記バッフル手段が、前記外部表面の上に装着されているチューブ（６０２）を含む、請求項１５に記載のカートリッジ。
【請求項１７】
前記バッフル手段が、前記貯蔵部チャンバーの中に少なくとも部分的に形成されている、請求項１から１６までのいずれか一項に記載のカートリッジ。
【請求項１８】
前記カートリッジの少なくとも一部分が射出成形され、前記バッフル手段が、前記一部分によって、少なくとも部分的に形成されている、請求項１から１７までのいずれか一項に記載のカートリッジ。
【請求項１９】
前記バッフル手段が、ガスフィルター（１１２、５００）を含む、請求項１から１８までのいずれか一項に記載のカートリッジ。
【請求項２０】
前記カートリッジが、前記流体をさらに含む、請求項１から１９までのいずれか一項に記載のカートリッジ。
【請求項２１】
前記流体が、血液型判定試薬、溶媒、希釈剤、触媒、抗体、酵素、組み換えタンパク質、ウィルス分離株、ウィルス、生物試薬、タンパク質、塩、洗浄剤、核酸、酸、塩基、分散剤、ラテックス粒子、ナノ粒子、磁性粒子、および、それらの組み合わせのうちのいずれか１つを含む、請求項１から２０までのいずれか一項に記載のカートリッジ。
【請求項２２】
前記カートリッジが、前記流体を注出するためにディスペンサー（１１８）をさらに含み、前記ディスペンサーが、前記出口部から前記流体を受け入れるように動作可能である、請求項１から２１までのいずれか一項に記載のカートリッジ。
【請求項２３】
前記ディスペンサーが、マイクロ流体のディスペンシングアッセンブリである、請求項１から２２までのいずれか一項に記載のカートリッジ。
【請求項２４】
前記ディスペンサーが、１０μＬ未満の体積、５００ｎＬ未満の体積、２００ｎＬ未満の体積、１００ｎＬ未満の体積、および、２０ｎＬ未満の体積のうちのいずれか１つを注出するように動作可能である、請求項１から２３までのいずれか一項に記載のカートリッジ。
【請求項２５】
生体サンプルを分析するための自動分析器（２００）であって、前記自動分析器は、請求項２３、２４、または２５に記載のカートリッジ（００、２０２、２０２’、２０２”、４００、６００、８００）を保持するように動作可能であり、前記自動分析器は、前記動作位置に前記カートリッジを保持するように動作可能であり、前記自動分析器は、前記ディスペンサーを作動させるように動作可能であるアクチュエーターアッセンブリ（２０４、２０４’、２０４”）を含み、前記自動分析器は、前記アクチュエーターアッセンブリの動作を制御する制御装置（２２０）をさらに含む、自動分析器（２００）。
【請求項２６】
自動分析器を用いて流体を注出する方法であって、前記方法は、
−  請求項２３、２４、または２５に記載のカートリッジ（１００、２０２、２０２’、２０２”、４００、６００、８００）を提供するステップ（３００）と、
−  前記カートリッジを自動分析器（２００）の中において動作位置に設置するステップ（３０２）であって、前記自動分析器は、前記ディスペンサーを作動させるためのアクチュエーターアッセンブリ（２０４、２０４’、２０４”）を含む、ステップと、
−  前記ディスペンサーを使用して前記出口部から前記流体を受け入れるステップ（３０４）と、
−  前記流体を注出するために前記アクチュエーターアッセンブリを動作させるステップ（３０６）と、
−  前記バッフル手段を介して前記入口部において前記ベンチレーションガスを受け入れるステップ（３０８）と、
−  前記貯蔵部チャンバーの少なくとも一部分（１０２）を前記ベンチレーションガスで充填するステップ（３１０）であって、前記入口部は、前記ベンチレーションガスで充填されるように動作可能な前記一部分の中に位置付けされている、ステップと
を含む、方法。